(57)【要約】【課題】大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した広角レンズ等を提供する。【解決手段】物体側から順に、全体として負の第１群Ｇ１と、全体として正の第２群Ｇ２と、開口絞りＳと、全体として正の第３群Ｇ３とを有し、第１群Ｇ１は少なくとも２つの負レンズＬ１１，Ｌ１２と、少なくとも１つの正レンズＬ１４とを有し、無限遠物体から近距離物体への合焦時に第１群Ｇ１と第３群Ｇ３とは固定され第２群Ｇ２は光軸に沿って移動し、所定の条件式を満足する。【選択図】図１
2008170720.tif 000002
【特許請求の範囲】
【請求項１】
物体側から順に、全体として負の屈折力を有する第１レンズ群と、全体として正の屈折力を有する第２レンズ群と、開口絞りと、全体として正の屈折力を有する第３レンズ群とを有し、
前記第１レンズ群は、少なくとも２つの負レンズと、少なくとも１つの正レンズとを有し、
無限遠物体から近距離物体への合焦時に、前記第１レンズ群と前記第３レンズ群とは固定され、前記第２レンズ群は光軸に沿って移動し、
以下の条件式を満足することを特徴とする広角レンズ。
２．２０＜ｆ１２／ｆ＜７．００
但し、
ｆ１２：前記第１レンズ群と前記第２レンズ群の合成焦点距離
ｆ    ：前記広角レンズ全系の焦点距離
【請求項２】
前記第１レンズ群は、物体側から順に、物体側に凸面を向けた少なくとも２つの負メニスカスレンズと、負レンズと、正レンズとを有することを特徴とする請求項１に記載の広角レンズ。
【請求項３】
前記第１レンズ群中には、少なくとも１つの非球面が備えられていることを特徴とする請求項１又は請求項２に記載の広角レンズ。
【請求項４】
以下の条件式を満足することを特徴とする請求項１から請求項３のいずれか１項に記載の広角レンズ。
１．３０＜ｆ２／ｆ＜３．００
但し、
ｆ２：前記第２レンズ群の焦点距離
ｆ  ：前記広角レンズ全系の焦点距離
【請求項５】
以下の条件式を満足することを特徴とする請求項１から請求項４のいずれか１項に記載の広角レンズ。
０．３５＜Ｄ２３／ｆ＜１．００
但し、
Ｄ２３：前記第２レンズ群の最も像側のレンズ面と前記第３レンズ群の最も物体側のレンズ面との光軸上の距離
ｆ    ：前記広角レンズ全系の焦点距離
【請求項６】
前記第３レンズ群は、複数の正レンズと、複数の負レンズとを有しており、
以下の条件式を満足することを特徴とする請求項１から請求項５のいずれか１項
に記載の広角レンズ。
３６．００＜Δν３
但し、
Δν３：前記第３レンズ群における前記正レンズの分散値の平均と前記負レンズの分散値の平均との差
【請求項７】
以下の条件式を満足することを特徴とする請求項１から請求項６のいずれか１項
に記載の広角レンズ。
０．７０＜（−ｆ１）／ｆ＜１．４０
但し、
ｆ１：前記第１レンズ群の焦点距離
ｆ  ：前記広角レンズ全系の焦点距離
【請求項８】
物体側から順に、全体として負の屈折力を有する第１レンズ群と、全体として正の屈折力を有する第２レンズ群と、全体として正の屈折力を有する第３レンズ群とを有し、
前記第１レンズ群は、物体側から順に、物体側に凸面を向けた少なくとも２つの負メニスカスレンズと、正レンズと、負レンズとを有し、
前記第１レンズ群中には、少なくとも１つの非球面が備えられており、
無限遠物体から近距離物体への合焦時に、前記第１レンズ群と前記第３レンズ群とは固定され、前記第２レンズ群は光軸に沿って移動し、
以下の条件式を満足することを特徴とする広角レンズ。
０．７０＜（−ｆ１）／ｆ＜１．４０
但し、
ｆ１：前記第１レンズ群の焦点距離
ｆ  ：前記広角レンズ全系の焦点距離
【請求項９】
請求項１から請求項８のいずれか１項に記載の広角レンズを備えたことを特徴とする撮像装置。
【請求項１０】
物体側から順に、全体として負の屈折力を有する第１レンズ群と、全体として正の屈折力を有する第２レンズ群と、開口絞りと、全体として正の屈折力を有する第３レンズ群とを有する広角レンズの合焦方法において、
前記第１レンズ群は、少なくとも２つの負レンズと、少なくとも１つの正レンズとを有し、
無限遠物体から近距離物体への合焦時に、前記第１レンズ群と前記第３レンズ群とは固定され、前記第２レンズ群は光軸に沿って移動し、
以下の条件式を満足することを特徴とする広角レンズの合焦方法。
２．２０＜ｆ１２／ｆ＜７．００
但し、
ｆ１２：前記第１レンズ群と前記第２レンズ群の合成焦点距離
ｆ    ：前記広角レンズ全系の焦点距離
【請求項１１】
物体側から順に、全体として負の屈折力を有する第１レンズ群と、全体として正の屈折力を有する第２レンズ群と、全体として正の屈折力を有する第３レンズ群とを有する広角レンズの合焦方法において、
前記第１レンズ群は、物体側から順に、物体側に凸面を向けた少なくとも２つの負メニスカスレンズと、正レンズと、負レンズとを有し、
前記第１レンズ群中には、少なくとも１つの非球面が備えられており、
無限遠物体から近距離物体への合焦時に、前記第１レンズ群と前記第３レンズ群とは固定され、前記第２レンズ群は光軸に沿って移動し、
以下の条件式を満足することを特徴とする広角レンズの合焦方法。
０．７０＜（−ｆ１）／ｆ＜１．４０
但し、
ｆ１：前記第１レンズ群の焦点距離
ｆ  ：前記広角レンズ全系の焦点距離
【発明の詳細な説明】
【技術分野】
【０００１】
本発明は、広角レンズ、撮像装置、広角レンズの合焦方法に関する。
【背景技術】
【０００２】
従来、焦点距離に比して大きなバックフォーカスを有する広角レンズとして、負レンズ群が先行する所謂レトロフォーカス型（逆望遠型）の広角レンズが知られており、具体的には、撮影画角が１００度でＦナンバーが３．５程度の大きなバックフォーカスを有するレトロフォーカス型の広角レンズが提案されている（例えば、特許文献１を参照。）。
【特許文献１】特開昭４９−１２１５２７号公報
【発明の開示】
【発明が解決しようとする課題】
【０００３】
一般に、レトロフォーカス型の広角レンズのレンズ配置は、前方（物体側）に負レンズ群を配置し後方（像側）に正レンズ群を配置することで全体として非対称となっている。このため、球面収差、コマ収差、歪曲収差、そして非点収差等の諸収差が多量に発生し、また大きなバックフォーカスを確保するべく前方のレンズ群の負屈折力の絶対値を大きくしなければならず、諸収差がさらに多量に発生してしまう。したがって、一般にこれらの諸収差をバランス良く良好に補正することは非常に困難であるという問題があった。そしてこの問題のみでなく、フォーカシングによる収差変動が増大し、全物体距離範囲にわたって高い光学性能を実現することが非常に困難であるという問題もあった。
【０００４】
また、近年、写真用カメラやビデオカメラ等に用いられる撮影レンズには、カメラ本体の小型化に伴いレンズ系全体の小型化が要望されている。しかしながら、レトロフォーカス型の撮影レンズにおいて、例えば１００度程度の撮影画角と３．５程度のＦナンバーを維持しながら、前玉レンズ径の縮小化を図りつつレンズ系全体の小型化を図ろうとすれば、歪曲収差や非点収差等の諸収差が著しく多量に発生してしまうこととなる。したがって、一般にこれらの諸収差を良好に補正して高い光学性能を実現するためには、レンズ枚数を増加しなければならず、レンズ系全体が大型化してしまうという問題があった。
【０００５】
そこで本発明は上記問題点に鑑みてなされたものであり、大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した広角レンズ、撮像装置、広角レンズの合焦方法を提供することを目的とする。
【課題を解決するための手段】
【０００６】
上記課題を解決するために本発明は、
物体側から順に、全体として負の屈折力を有する第１レンズ群と、全体として正の屈折力を有する第２レンズ群と、開口絞りと、全体として正の屈折力を有する第３レンズ群とを有し、
前記第１レンズ群は、少なくとも２つの負レンズと、少なくとも１つの正レンズとを有し、
無限遠物体から近距離物体への合焦時に、前記第１レンズ群と前記第３レンズ群とは固定され、前記第２レンズ群は光軸に沿って移動し、
以下の条件式を満足することを特徴とする広角レンズを提供する。
２．２０＜ｆ１２／ｆ＜７．００
但し、
ｆ１２：前記第１レンズ群と前記第２レンズ群の合成焦点距離
ｆ    ：前記広角レンズ全系の焦点距離
【０００７】
また本発明は、
物体側から順に、全体として負の屈折力を有する第１レンズ群と、全体として正の屈折力を有する第２レンズ群と、全体として正の屈折力を有する第３レンズ群とを有し、
前記第１レンズ群は、物体側から順に、物体側に凸面を向けた少なくとも２つの負メニスカスレンズと、正レンズと、負レンズとを有し、
前記第１レンズ群中には、少なくとも１つの非球面が備えられており、
無限遠物体から近距離物体への合焦時に、前記第１レンズ群と前記第３レンズ群とは固定され、前記第２レンズ群は光軸に沿って移動し、
以下の条件式を満足することを特徴とする広角レンズを提供する。
０．７０＜（−ｆ１）／ｆ＜１．４０
但し、
ｆ１：前記第１レンズ群の焦点距離
ｆ  ：前記広角レンズ全系の焦点距離
【０００８】
また、本発明の広角レンズを備えたことを特徴とする撮像装置を提供する。
【０００９】
また本発明は、
物体側から順に、全体として負の屈折力を有する第１レンズ群と、全体として正の屈折力を有する第２レンズ群と、開口絞りと、全体として正の屈折力を有する第３レンズ群とを有する広角レンズの合焦方法において、
前記第１レンズ群は、少なくとも２つの負レンズと、少なくとも１つの正レンズとを有し、
無限遠物体から近距離物体への合焦時に、前記第１レンズ群と前記第３レンズ群とは固定され、前記第２レンズ群は光軸に沿って移動し、
以下の条件式を満足することを特徴とする広角レンズの合焦方法を提供する。
２．２０＜ｆ１２／ｆ＜７．００
但し、
ｆ１２：前記第１レンズ群と前記第２レンズ群の合成焦点距離
ｆ    ：前記広角レンズ全系の焦点距離
【００１０】
また本発明は、
物体側から順に、全体として負の屈折力を有する第１レンズ群と、全体として正の屈折力を有する第２レンズ群と、全体として正の屈折力を有する第３レンズ群とを有する広角レンズの合焦方法において、
前記第１レンズ群は、物体側から順に、物体側に凸面を向けた少なくとも２つの負メニスカスレンズと、正レンズと、負レンズとを有し、
前記第１レンズ群中には、少なくとも１つの非球面が備えられており、
無限遠物体から近距離物体への合焦時に、前記第１レンズ群と前記第３レンズ群とは固定され、前記第２レンズ群は光軸に沿って移動し、
以下の条件式を満足することを特徴とする広角レンズの合焦方法を提供する。
０．７０＜（−ｆ１）／ｆ＜１．４０
但し、
ｆ１：前記第１レンズ群の焦点距離
ｆ  ：前記広角レンズ全系の焦点距離
【発明の効果】
【００１１】
本発明によれば、大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した広角レンズ、撮像装置、広角レンズの合焦方法を提供することができる。
【発明を実施するための最良の形態】
【００１２】
以下、本願の広角レンズ、撮像装置、合焦方法について説明する。
本広角レンズは、物体側から順に、全体として負の屈折力を有する第１レンズ群と、全体として正の屈折力を有する第２レンズ群と、開口絞りと、全体として正の屈折力を有する第３レンズ群とから構成されており、前記第１レンズ群は、少なくとも２つの負レンズと、少なくとも１つの正レンズとを有し、無限遠物体から近距離物体への合焦時に、前記第１レンズ群と前記第３レンズ群とは固定され、前記第２レンズ群は光軸に沿って移動するように構成されている。
【００１３】
一般に、レトロフォーカス型の広角レンズは、バックフォーカスを確保する必要があること、また後玉レンズ径に制限があることによって、大きな入射角度で入射した軸外光束（主光線）を小さな射出角度で射出して所定の像高に結像させることとなる。また一般に、レンズ配置が対称型の広角レンズは、バックフォーカスを確保する必要がないため、軸外光束を大きな入射角度で入射させ、さらに大きな射出角度で射出する構成とすることができる。このため、主に物体側のレンズ群（第１レンズ群及び第２レンズ群）で軸外光束の光軸に対する角度を小さくする必要がある。
【００１４】
また一般に、あるレンズ面に対する入射角度が大きいほど収差が多量に発生するため、レトロフォーカス型の広角レンズの物体側のレンズ群には、極端に入射角度が大きくなるレンズ面を配置することは好ましくなく、言い換えればレンズに大きな屈折力を持たせないことが望ましい。
そこで本広角レンズは、軸外光束を徐々に屈折させて少しずつ射出角度を小さくするために、第１レンズ群中に少なくとも２つの負レンズと少なくとも１つの正レンズとを配置している。
【００１５】
また本広角レンズは、軸外光束を徐々に屈折させて少しずつ射出角度を小さくするために、第１レンズ群中に負レンズを少なくとも３つと正レンズとを配置することが望ましい。そしてこの負レンズのうちの少なくとも２つを、開口絞りに向かってアプラナティック面即ち物体側に凸面を向けた負メニスカスレンズとすることによって、各レンズ面において入射角度や射出角度が極端に大きくならないようにすることができる。これにより本広角レンズは、画角の広い範囲にわたって無理なく収差補正を行うことが可能となる。
【００１６】
しかしながら、第１レンズ群において上述した負メニスカスレンズのみでは、レトロフォーカス型の広角レンズにおいて問題となる歪曲収差を補正することができない。したがってこれを解決するためには、当該負メニスカスレンズの少なくとも１つのレンズ面を、レンズ周辺へ向かって収斂度が増加する形状の非球面とすることが効果的であり、また同様の効果を有する正レンズを配置することで生じる前玉レンズ径の増大を解消できるため有利である。
【００１７】
ここで、レトロフォーカス型の広角レンズにおいて、無限遠物体から近距離物体への合焦時に、レンズ全体を繰り出す所謂全体繰り出し方式を採用すれば、像面湾曲が著しくプラス側に変化してしまう。このため本広角レンズでは、無限遠物体から近距離物体への合焦時に、像面湾曲の変動を少なくするべくレンズ系の一部の間隔が狭くなるように変化させるフローティング方式を採用し、これをさらに発展させて物体側のレンズ群を第１レンズ群と第２レンズ群に分割し、第１レンズ群と第３レンズ群を固定し、口径の小さな第２レンズ群のみで合焦を行う構成としている。これにより、第２レンズ群と第３レンズ群との間隔を像面湾曲の変動を抑える所謂フローティング間隔とすることができる。そしてまた、フォーカシング重量（合焦時に駆動するレンズの重量）が軽くなるため、より迅速なフォーカシングを行うことが可能となる。
【００１８】
本広角レンズは、以下の条件式（１）を満足することが望ましい。
（１）  ２．２０＜ｆ１２／ｆ＜７．００
但し、
ｆ１２：前記第１レンズ群と前記第２レンズ群の合成焦点距離
ｆ    ：前記広角レンズ全系の焦点距離
【００１９】
条件式（１）は、無限遠合焦時における第１レンズ群と第２レンズ群の合成焦点距離を規定し、レンズ全長を小さくしながら諸収差を良好に補正するための条件式である。なお、条件式（１）における符号ｆ１２，ｆ及び後述する各条件式における符号Ｄ２３，ｆ２，ｆ１の値は、いずれも無限遠物体合焦時における値である。
条件式（１）の上限値を上回って前記合成焦点距離が大きくなると、大きくなるレンズ全長を抑えるために第３レンズ群の屈折力を大きくすることとなり、球面収差や特にコマ収差が悪化することとなってしまう。
なお、条件式（１）の上限値を６．００に設定すれば、本発明の効果をより発揮することができる。
【００２０】
一方、条件式（１）の下限値を下回って前記合成焦点距離が小さくなると、諸収差を十分に補正することができなくなり、さらにバックフォーカスを確保することも困難になってしまう。
なお、条件式（１）の下限値を２．４０に設定すれば、本発明の効果をより発揮することができる。
【００２１】
また、本広角レンズは、以下の条件式（２）を満足することが望ましい。
（２）  １．３０＜ｆ２／ｆ＜３．００
但し、
ｆ２：前記第２レンズ群の焦点距離
ｆ  ：前記広角レンズ全系の焦点距離
【００２２】
条件式（２）は、第２レンズ群の焦点距離を規定し、後記条件式（３）とともに合焦レンズ群である第２レンズ群の移動量を確保しながら、諸収差を良好に補正するための条件式である。
条件式（２）の上限値を上回って焦点距離が大きくなると、無限遠物体から近距離物体への合焦時の第２レンズ群の移動量が大きくなり過ぎて諸収差、特に歪曲収差のマイナス化が顕著になってしまう。
なお、条件式（２）の上限値を２．５０に設定すれば、本発明の効果をより発揮することができる。
【００２３】
一方、条件式（２）の下限値を下回って焦点距離が小さくなると、合焦時の第２レンズ群の移動量は小さくできるものの、全合焦域において球面収差や特にコマ収差が悪化することとなってしまう。
なお、条件式（２）の下限値を１．５０に設定すれば、本発明の効果をより発揮することができる。
【００２４】
また、本広角レンズは、以下の条件式（３）を満足することが望ましい。
（３）  ０．３５＜Ｄ２３／ｆ＜１．００
但し、
Ｄ２３：前記第２レンズ群の最も像側のレンズ面と前記第３レンズ群の最も物体側のレンズ面との光軸上の距離
ｆ    ：前記広角レンズ全系の焦点距離
【００２５】
条件式（３）は、無限物体合焦時における第２レンズ群と第３レンズ群との光軸上の距離を規定し、合焦レンズ群である第２レンズ群の移動量を確保しながら、諸収差を良好に補正するための条件式である。
条件式（３）の上限値を上回って前記間隔が大きくなると、相対的に増大するレンズ全長を小さくするために、本広角レンズを構成するレンズの枚数を減らすことを余儀なくされ、諸収差が悪化することとなってしまう。
なお、条件式（３）の上限値を０．９０に設定すれば、本発明の効果をより発揮することができる。
【００２６】
一方、条件式（３）の下限値を下回って前記間隔が小さくなると、合焦時の第２レンズ群の移動量を確保することができなくなる。このため、該第２レンズ群の屈折力を大きくしなければならなくなり、全合焦域において球面収差や特にコマ収差が悪化することとなってしまう。
なお、条件式（３）の下限値を０．４０に設定すれば、本発明の効果をより発揮することができる。
【００２７】
また、本広角レンズは、前記第３レンズ群が、複数の正レンズと、複数の負レンズとを有しており、以下の条件式（４）を満足することが望ましい。
（４）  ３６．００＜Δν３
但し、
Δν３：前記第３レンズ群における前記正レンズの分散値の平均と前記負レンズの分散値の平均との差
【００２８】
条件式（４）は、本広角レンズにおいて、第３レンズ群を構成する各レンズの分散値を規定する条件式である。
条件式（４）の下限値を下回ると、第３レンズ群による色収差の補正が不足し、特に倍率色収差が悪化することとなってしまう。
なお、条件式（４）の下限値を３７．５０に設定すれば、本発明の効果をより発揮することができる。
【００２９】
また、本広角レンズにおいて第３レンズ群は、本質的に正の屈折力を有し、該第３レンズ群を通過するランド光束（像高０に達する光線のうちで最も光軸から離れた光線をランド光線という。）の光軸からの高さが第１レンズ群よりも高い。このため、球面収差の補正が不足し、また輪帯球面収差の補正も不足しやすい。そこで本広角レンズでは、第３レンズ群内に接合面を設けることで、球面収差を補正すると同時に、コマ収差、さらには軸上色収差と倍率色収差を良好に補正している。
【００３０】
また、本広角レンズは、以下の条件式（５）を満足することが望ましい。
（５）  ０．７０＜（−ｆ１）／ｆ＜１．４０
但し、
ｆ１：前記第１レンズ群の焦点距離
ｆ  ：前記広角レンズ全系の焦点距離
【００３１】
条件式（５）は、第１レンズ群の焦点距離を規定し、バックフォーカスを大きくしながら諸収差を良好に補正するための条件式である。
条件式（５）の上限値を上回って第１レンズ群の焦点距離が大きくなると、光線の発散作用が小さくなり、バックフォーカスを確保することが困難になる。そしてこれを補うために第２レンズ群以降のレンズ群の焦点距離を大きくしなければならず、増大するレンズ全長を小さくするために、本広角レンズを構成するレンズの枚数を減らすことを余儀なくされ、諸収差が悪化することとなってしまう。
なお、条件式（５）の上限値を１．２０に設定すれば、本発明の効果をより発揮することができる。
【００３２】
一方、条件式（５）の下限値を下回って第１レンズ群の焦点距離が小さくなると、光線の発散作用が大きくなり、バックフォーカスの確保には有利である。しかしながら、歪曲収差が大きく発生してしまい、これを第２レンズ群以降のレンズ群によって補正することが困難になってしまう。
なお、条件式（５）の下限値を０．８０に設定すれば、本発明の効果をより発揮することができる。
【００３３】
本願の広角レンズは、物体側から順に、全体として負の屈折力を有する第１レンズ群と、全体として正の屈折力を有する第２レンズ群と、全体として正の屈折力を有する第３レンズ群とから構成されており、前記第１レンズ群は、物体側から順に、物体側に凸面を向けた少なくとも２つの負メニスカスレンズと、正レンズと、負レンズとを有し、前記第１レンズ群中には、少なくとも１つの非球面が備えられており、無限遠物体から近距離物体への合焦時に、前記第１レンズ群と前記第３レンズ群とは固定され、前記第２レンズ群は光軸に沿って移動し、以下の条件式（５）を満足するように構成されている。
（５）  ０．７０＜（−ｆ１）／ｆ＜１．４０
但し、
ｆ１：前記第１レンズ群の焦点距離
ｆ  ：前記広角レンズ全系の焦点距離
【００３４】
なお、本広角レンズのレンズ構成及び条件式（５）については、上述の説明と同様であるためその説明を省略する。
【００３５】
また本願の撮像装置は、上述した構成の広角レンズを備えている。
これにより、大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した撮像装置を実現することができる。
【００３６】
また本願の広角レンズの合焦方法は、物体側から順に、全体として負の屈折力を有する第１レンズ群と、全体として正の屈折力を有する第２レンズ群と、開口絞りと、全体として正の屈折力を有する第３レンズ群とから構成された広角レンズの合焦方法において、前記第１レンズ群は、物体側から順に、物体側に凸面を向けた少なくとも２つの負メニスカスレンズと、負レンズと、正レンズとを有し、前記第１レンズ群中には、少なくとも１つの非球面が備えられており、無限遠物体から近距離物体への合焦時に、前記第１レンズ群と前記第３レンズ群とは固定され、前記第２レンズ群は光軸に沿って移動することを特徴とする。
【００３７】
また本願の広角レンズの合焦方法は、物体側から順に、全体として負の屈折力を有する第１レンズ群と、全体として正の屈折力を有する第２レンズ群と、全体として正の屈折力を有する第３レンズ群とから構成された広角レンズの合焦方法において、前記第１レンズ群は、物体側から順に、物体側に凸面を向けた少なくとも２つの負メニスカスレンズと、正レンズと、負レンズとを有し、前記第１レンズ群中には、少なくとも１つの非球面が備えられており、無限遠物体から近距離物体への合焦時に、前記第１レンズ群と前記第３レンズ群とは固定され、前記第２レンズ群は光軸に沿って移動し、以下の条件式（５）を満足することを特徴とする。
（５）  ０．７０＜（−ｆ１）／ｆ＜１．４０
但し、
ｆ１：前記第１レンズ群の焦点距離
ｆ  ：前記広角レンズ全系の焦点距離
【００３８】
これらの広角レンズの合焦方法により、広角レンズにおいて、大きなバックフォーカスと大きな撮影画角と小さなＦナンバーを確保し、前玉レンズ径の縮小化を図りながらレンズ系全体の小型化を図り、迅速なフォーカシングが可能で、かつフォーカシング時の収差変動が小さく、画面全体にわたって諸収差を良好に補正可能な高い光学性能を実現することができる。
【００３９】
以下、本願の数値実施例に係る広角レンズを添付図面に基づいて説明する。
（第１実施例）
図１は、本願の第１実施例に係る広角レンズの構成を示す図である。
本実施例に係る広角レンズは、物体側から順に、全体として負の屈折力を有する第１レンズ群Ｇ１と、全体として正の屈折力を有する第２レンズ群Ｇ２と、開口絞りＳと、全体として正の屈折力を有する第３レンズ群Ｇ３とから構成されている。
【００４０】
第１レンズ群Ｇ１は、物体側から順に、物体側に凸面を向け像側のレンズ面が非球面である負メニスカスレンズＬ１１と、物体側に凸面を向けた負メニスカスレンズＬ１２と、両凹形状の負レンズＬ１３と、物体側に凸面を向けた正メニスカスレンズＬ１４とからなる。
第２レンズ群Ｇ２は、物体側から順に、物体側に凸面を向けた負メニスカスレンズＬ２１と、両凸形状の正レンズＬ２２と像側に凸面を向けた負メニスカスレンズＬ２３との接合レンズと、物体側に凸面を向けた負メニスカスレンズＬ２４と両凸形状の正レンズＬ２５との接合レンズとからなる。
【００４１】
第３レンズ群Ｇ３は、物体側から順に、両凸形状の正レンズＬ３１と、両凹形状の負レンズＬ３２と両凸形状の正レンズＬ３３との接合レンズと、像側に凸面を向け像側のレンズ面が非球面である正メニスカスレンズＬ３４とからなる。
斯かるレンズ構成の下、本実施例に係る広角レンズは、無限遠物体から近距離物体への合焦時に、第１レンズ群Ｇ１と第３レンズ群Ｇ３とはその位置が固定され、第２レンズ群Ｇ２は光軸に沿って像側へ移動する。なお、このとき開口絞りＳは、第１レンズ群Ｇ１と第３レンズ群Ｇ３と同様にその位置が固定である。
【００４２】
以下の表１に、本願の第１実施例に係る広角レンズの諸元の値を掲げる。
［全体諸元］において、ｆは焦点距離、ＦＮＯはＦナンバー、２ωは画角（単位は「°」）をそれぞれ示す。
［レンズデータ］において、面は物体側からのレンズ面の順序、ｒはレンズ面の曲率半径、ｄはレンズ面の間隔をそれぞれ示す。また、ｎｄはｄ線（λ＝５８７．６ｎｍ）に対する屈折率、νｄはｄ線（λ＝５８７．６ｎｍ）に対するアッベ数をそれぞれ示す。さらに、レンズデータ中の非球面には、米印（*）を付して曲率半径ｒの欄には近軸曲率半径を示し、κ及び各非球面係数は［非球面データ］の欄に記載する。また、曲率半径ｒ＝0.0000は平面を示し、空気の屈折率ｎｄ＝1.000000はその記載を省略している。
【００４３】
［非球面データ］において、「E-n」は「×１０−ｎ」を示す。諸元表に示す回転対称な非球面は、光軸から垂直方向の高さｙにおける各非球面の頂点の接平面から光軸方向に沿った距離（サグ量）をＸ（ｙ）、基準球面の曲率半径をｒ、円錐係数をκ、ｎ次の非球面係数をCnとするとき、以下の非球面式で表される。なお、０（ゼロ）となる非球面係数はその記載を省略している。
Ｘ（ｙ）＝（ｙ２／ｒ）／〔１＋（１−κ・ｙ２／ｒ２）１／２〕
＋C4・ｙ４＋C6・ｙ６＋C8・ｙ８＋C10・ｙ１０＋C12・ｙ１２
【００４４】
［レンズデータ］及び［可変間隔データ］において、B.Fはバックフォーカスを示す。
ここで、以下の全ての諸元値において掲載されている焦点距離ｆ、曲率半径ｒ、その他長さの単位は一般に「ｍｍ」が使われる。しかし光学系は、比例拡大又は比例縮小しても同等の光学性能が得られるため、これに限られるものではない。
なお、以下の全実施例の諸元値においても、本実施例と同様の符号を用いる。
【００４５】
（表１）
［全体諸元］
ｆ    ＝ 24.46
ＦＮＯ＝  3.6
２ω  ＝101
［レンズデータ］
面      ｒ       ｄ      ｎｄ    νｄ
1    42.8102  2.2000  1.804000  46.58
*2    19.1040  7.7885
3    40.8117  2.0407  1.834000  37.17
4    19.9121  8.8876
5 -1115.9626  1.8119  1.487490  70.24
6    28.0231  0.0328
7    23.7643  6.3354  1.548140  45.79
8    99.5672  D8
9   154.5743  1.9000  1.497000  81.61
10    28.1601  2.4340
11    41.9780  7.0000  1.548140  45.79
12  -113.5403  3.0000  1.806100  40.94
13  -136.3817  4.2758
14    35.8265  3.0000  1.804000  46.58
15    19.5154 10.0000  1.548140  45.79
16   -64.8364  D16
17     0.0000 10.6136                    開口絞りＳ
18    37.0809  5.1673  1.497000  81.61
19   -35.5491  0.2000
20   -73.3527  1.2000  1.834000  37.17
21    23.0227  5.4912  1.497000  81.61
22  -126.0384  0.4442
23  -119.3846  3.4217  1.516330  64.15
*24   -41.8812  B.F
［非球面データ］
＜第２レンズ面＞
κ  ＝ -0.3978
C4  ＝ -1.63540E-06
C6  ＝ -3.78210E-09
C8  ＝ -4.75510E-12
C10 ＝ +1.91630E-14
C12 ＝ -0.81917E-16
＜第２４レンズ面＞
κ  ＝  0.00000
C4  ＝ +9.33340E-06
C6  ＝ +1.87190E-09
C8  ＝ +9.25060E-11
C10 ＝ -2.27420E-13
［可変間隔データ］
ｆ又は撮影倍率     24.46      1/30x     1/10x
D8            2.304     2.908     4.123
D16           7.950     7.347     6.132
B.F          55.004    55.004    55.004
［条件式対応値］
（１）ｆ１２／ｆ＝5.17
（２）ｆ２／ｆ＝1.98
（３）Ｄ２３／ｆ＝0.76
（４）Δν３＝38.62
（５）（−ｆ１）／ｆ＝0.85
【００４６】
図２（ａ），（ｂ），（ｃ）はそれぞれ、本願の第１実施例に係る広角レンズの無限遠合焦時及び撮影倍率β＝-1/30，-1/10のときの諸収差図を示す。
各収差図において、ＦＮＯはＦナンバー、ＮＡは開口数、Ｙは像高をそれぞれ示す。また、非点収差図及び歪曲収差図においては像高Ｙの最大値を示す。また、ｄ，ｇはそれぞれ、ｄ線（λ＝５８７．６ｎｍ），ｇ線（λ＝４３５．８ｎｍ）の収差曲線を示している。そして非点収差図において、実線はサジタル像面、点線はメリディオナル像面をそれぞれ示す。コマ収差図は、各像高におけるコマ収差をそれぞれ表している。
なお、以下に示す各実施例の諸収差図において、本実施例と同様の符号を用いる。
各諸収差図より本実施例に係る広角レンズは、全物体距離範囲にわたって諸収差を良好に補正し、優れた結像性能を有していることがわかる。
【００４７】
（第２実施例）
図３は、本願の第２実施例に係る広角レンズの構成を示す図である。
本実施例に係る広角レンズは、物体側から順に、全体として負の屈折力を有する第１レンズ群Ｇ１と、全体として正の屈折力を有する第２レンズ群Ｇ２と、開口絞りＳと、全体として正の屈折力を有する第３レンズ群Ｇ３とから構成されている。
【００４８】
第１レンズ群Ｇ１は、物体側から順に、物体側に凸面を向けた負メニスカスレンズＬ１１と、物体側に凸面を向け像側のレンズ面が非球面である負メニスカスレンズＬ１２と、物体側に凸面を向けた負メニスカスレンズＬ１３と、物体側に凸面を向けた正メニスカスレンズＬ１４とからなる。なお、負メニスカスレンズＬ１１は、像側のガラスレンズ面に樹脂層を設けて非球面を形成した複合型非球面レンズである。
第２レンズ群Ｇ２は、物体側から順に、物体側に凸面を向けた負メニスカスレンズＬ２１と、物体側に凸面を向けた負メニスカスレンズＬ２２と両凸形状の正レンズＬ２３との接合レンズと、両凸形状の正レンズＬ２４と像側に凸面を向けた負メニスカスレンズＬ２５との接合レンズとからなる。
【００４９】
第３レンズ群Ｇ３は、物体側から順に、両凸形状の正レンズＬ３１と像側に凸面を向けた正メニスカスレンズＬ３２との接合レンズと、両凹形状の負レンズＬ３３と両凸形状の正レンズＬ３４との接合レンズと、像側に凸面を向け像側のレンズ面が非球面である正メニスカスレンズＬ３５とからなる。
斯かるレンズ構成の下、本実施例に係る広角レンズは、無限遠物体から近距離物体への合焦時に、第１レンズ群Ｇ１と第３レンズ群Ｇ３とはその位置が固定され、第２レンズ群Ｇ２は光軸に沿って像側へ移動する。なお、このとき開口絞りＳは、第１レンズ群Ｇ１と第３レンズ群Ｇ３と同様にその位置が固定である。
以下の表２に、本願の第２実施例に係る広角レンズの諸元の値を掲げる。
【００５０】
（表２）
［全体諸元］
ｆ    ＝ 24.72
ＦＮＯ＝  3.6
２ω  ＝100
［レンズデータ］
面      ｒ       ｄ      ｎｄ    νｄ
1    50.3625  2.3000  1.804000  46.58
2    23.6540  0.2000  1.553890  38.09
*3    18.0699  6.1645
4    36.0677  1.9000  1.785900  44.20
*5    18.1676  8.1663
6   109.1060  3.0000  1.516330  64.14
7    30.2890  3.4054
8    26.3957  6.0000  1.548141  45.78
9    55.8588  D9
10    76.1488  2.0000  1.497820  82.52
11    31.2125  0.8000
12    42.1078  2.5000  1.785900  44.20
13    20.6948  7.0000  1.581439  40.75
14  -368.6104  1.0181
15    39.9942 10.0000  1.548141  45.78
16   -26.7172  3.0000  1.804000  46.58
17   -43.2180  D17
18     0.0000 11.5518                    開口絞りＳ
19    49.7448  5.0744  1.487490  70.24
20   -33.4973  1.2000  1.805180  25.43
21   -37.2705  0.3127
22   -51.9075  1.2000  1.834000  37.17
23    24.8607  5.5716  1.497820  82.52
24   -44.5420  0.1000
25  -136.3174  3.5976  1.516330  64.15
*26   -42.2956  B.F
［非球面データ］
＜第３レンズ面＞
κ  ＝ -0.5269
C4  ＝ -1.29880E-05
C6  ＝ -1.26910E-09
C8  ＝ +3.42450E-12
C10 ＝ -2.81700E-14
C12 ＝ +0.13388E-15
＜第５レンズ面＞
κ  ＝ -0.1323
C4  ＝ +7.05510E-06
C6  ＝ -2.02420E-08
C8  ＝ +6.97680E-12
C10 ＝ +1.75070E-14
C12 ＝ -0.13067E-14
＜第２６レンズ面＞
κ  ＝  0.00000
C4  ＝ +4.44020E-06
C6  ＝ +6.77970E-09
C8  ＝ -3.76000E-11
C10 ＝ -1.10100E-14
［可変間隔データ］
ｆ又は撮影倍率     24.72      1/30x     1/10x
D9            2.415     2.990     4.151
D17           4.632     4.057     2.896
B.F          56.500    56.500    56.500
［条件式対応値］
（１）ｆ１２／ｆ＝3.57
（２）ｆ２／ｆ＝1.79
（３）Ｄ２３／ｆ＝0.65
（４）Δν３＝41.00
（５）（−ｆ１）／ｆ＝0.81
【００５１】
図４（ａ），（ｂ），（ｃ）はそれぞれ、本願の第２実施例に係る広角レンズの無限遠合焦時及び撮影倍率β＝-1/30，-1/10のときの諸収差図を示す。
各諸収差図より本実施例に係る広角レンズは、全物体距離範囲にわたって諸収差を良好に補正し、優れた結像性能を有していることがわかる。
【００５２】
（第３実施例）
図５は、本願の第３実施例に係る広角レンズの構成を示す図である。
本実施例に係る広角レンズは、物体側から順に、全体として負の屈折力を有する第１レンズ群Ｇ１と、全体として正の屈折力を有する第２レンズ群Ｇ２と、開口絞りＳと、全体として正の屈折力を有する第３レンズ群Ｇ３とから構成されている。
【００５３】
第１レンズ群Ｇ１は、物体側から順に、物体側に凸面を向けた負メニスカスレンズＬ１１と、物体側に凸面を向けた負メニスカスレンズＬ１２と、物体側に凸面を向けた正メニスカスレンズＬ１３と、像側に凸面を向けた負メニスカスレンズＬ１４とからなる。なお、負メニスカスレンズＬ１１，Ｌ１２は、いずれも像側のガラスレンズ面に樹脂層を設けて非球面を形成した複合型非球面レンズである。
第２レンズ群Ｇ２は、物体側から順に、両凸形状の正レンズＬ２１と両凹形状の負レンズL２２との接合レンズと、両凸形状の正レンズＬ２３とからなる。
【００５４】
第３レンズ群Ｇ３は、物体側から順に、両凸形状の正レンズＬ３１と像側に凸面を向けた負メニスカスレンズＬ３２との接合レンズと、両凹形状の負レンズＬ３３と両凸形状の正レンズＬ３４との接合レンズと、像側に凸面を向けた正メニスカスレンズＬ３５とからなる。なお、正メニスカスレンズＬ３５は、物体側のガラスレンズ面に樹脂層を設けて非球面を形成した複合型非球面レンズである。
斯かるレンズ構成の下、本実施例に係る広角レンズは、無限遠物体から近距離物体への合焦時に、第１レンズ群Ｇ１と第３レンズ群Ｇ３とはその位置が固定され、第２レンズ群Ｇ２は光軸に沿って像側へ移動する。なお、このとき開口絞りＳは、第１レンズ群Ｇ１と第３レンズ群Ｇ３と同様にその位置が固定である。
以下の表３に、本願の第３実施例に係る広角レンズの諸元の値を掲げる。
【００５５】
（表３）
［全体諸元］
ｆ    ＝ 24.72
ＦＮＯ＝  3.6
２ω  ＝101
［レンズデータ］
面      ｒ       ｄ      ｎｄ    νｄ
1    45.0536  1.7000  1.785896  44.20
2    18.7580  0.3000  1.553890  38.09
*3    14.9512  5.5412
4    27.3594  1.7000  1.804000  46.57
5    18.4545  0.3000  1.553890  38.09
*6    16.5634 19.0000
7    54.1465  5.8537  1.846660  23.78
8   140.2454  2.0000
9   -43.8193  2.5621  1.696797  55.53
10   -63.1048  D10
11    56.9461  6.0000  1.518229  58.90
12   -19.9990  1.2000  1.772499  49.60
13   133.2216  0.1007
14    60.7655  3.8807  1.639800  34.47
15   -33.5698  D15
16     0.0000  4.6855                   開口絞りＳ
17    37.6334  5.7998  1.497820  82.52
18   -32.1961  1.2000  1.805181  25.42
19   -61.9241  1.5126
20   -39.6623  1.2000  1.806098  40.92
21    25.9214  5.1868  1.497820  82.52
22   -30.0196  0.1815
*23   -99.4684  0.1000  1.553890  38.09
24   -90.4233  2.5000  1.487490  70.23
25   -33.5999  B.F
［非球面データ］
＜第３レンズ面＞
κ  ＝ -1.00000
C4  ＝ +2.38590E-06
C6  ＝ +2.36360E-08
C8  ＝ +2.89220E-11
C10 ＝ +1.74320E-14
C12 ＝ +0.17175E-15
＜第６レンズ面＞
κ  ＝ -1.00000
C4  ＝ +2.96920E-05
C6  ＝ -4.62730E-09
C8  ＝ -8.18950E-11
C10 ＝ -2.48290E-14
＜第２３レンズ面＞
κ  ＝  0.00000
C4  ＝ -5.89370E-06
C6  ＝ -1.36470E-08
C8  ＝ +1.18700E-10
［可変間隔データ］
ｆ又は撮影倍率     24.72      1/30x     1/10x
D10           1.700     2.568     4.332
D15           6.930     6.062     4.298
B.F          56.363    56.363    56.363
［条件式対応値］
（１）ｆ１２／ｆ＝3.56
（２）ｆ２／ｆ＝2.04
（３）Ｄ２３／ｆ＝0.47
（４）Δν３＝45.25
（５）（−ｆ１）／ｆ＝0.98
【００５６】
図６（ａ），（ｂ），（ｃ）はそれぞれ、本願の第３実施例に係る広角レンズの無限遠合焦時及び撮影倍率β＝-1/30，-1/10のときの諸収差図を示す。
各諸収差図より本実施例に係る広角レンズは、全物体距離範囲にわたって諸収差を良好に補正し、優れた結像性能を有していることがわかる。
【００５７】
（第４実施例）
図７は、本願の第４実施例に係る広角レンズの構成を示す図である。
本実施例に係る広角レンズは、物体側から順に、全体として負の屈折力を有する第１レンズ群Ｇ１と、全体として正の屈折力を有する第２レンズ群Ｇ２と、開口絞りＳと、全体として正の屈折力を有する第３レンズ群Ｇ３とから構成されている。
【００５８】
第１レンズ群Ｇ１は、物体側から順に、物体側に凸面を向けた負メニスカスレンズＬ１１と、物体側に凸面を向けた負メニスカスレンズＬ１２と、物体側に凸面を向けた負メニスカスレンズＬ１３と、物体側に凸面を向けた正メニスカスレンズＬ１４とからなる。なお、負メニスカスレンズＬ１１，Ｌ１３は、いずれも像側のガラスレンズ面に樹脂層を設けて非球面を形成した複合型非球面レンズである。
第２レンズ群Ｇ２は、物体側から順に、物体側に凸面を向けた負メニスカスレンズＬ２１と、両凸形状の正レンズＬ２２と像側に凸面を向けた負メニスカスレンズＬ２３との接合レンズと、両凸形状の正レンズＬ２４と像側に凸面を向けた負メニスカスレンズＬ２５との接合レンズとからなる。
【００５９】
第３レンズ群Ｇ３は、物体側から順に、両凸形状の正レンズＬ３１と像側に凸面を向けた負メニスカスレンズＬ３２との接合レンズと、両凹形状の負レンズＬ３３と両凸形状の正レンズＬ３４との接合レンズと、像側に凸面を向け像側のレンズ面が非球面である正メニスカスレンズＬ３５とからなる。
斯かるレンズ構成の下、本実施例に係る広角レンズは、無限遠物体から近距離物体への合焦時に、第１レンズ群Ｇ１と第３レンズ群Ｇ３とはその位置が固定され、第２レンズ群Ｇ２は光軸に沿って像側へ移動する。なお、このとき開口絞りＳは、第１レンズ群Ｇ１と第３レンズ群Ｇ３と同様にその位置が固定である。
以下の表４に、本願の第４実施例に係る広角レンズの諸元の値を掲げる。
【００６０】
（表４）
［全体諸元］
ｆ    ＝ 24.71
ＦＮＯ＝  3.6
２ω  ＝101
［レンズデータ］
面      ｒ       ｄ      ｎｄ    νｄ
1    46.5023  2.3000  1.799520  42.24
2    22.9739  0.2000  1.553890  38.09
*3    18.0323  6.6872
4    39.3050  1.9000  1.806100  40.94
5    18.8880  8.3352
6   100.7643  1.4000  1.516330  64.14
7    29.7080  0.2000  1.553890  38.09
*8    25.3194  3.4959
9    32.4731  4.1718  1.639800  34.47
10   112.7548  D10
11   143.3923  1.7000  1.497820  82.52
12    31.0737  1.0000
13    43.6797  8.7711  1.548140  45.79
14   -25.8478  2.1407  1.804000  46.58
15   -85.5390  0.1000
16    48.0833 10.0000  1.548140  45.79
17   -22.2869  1.7131  1.834810  42.72
18   -35.6894  D18
19     0.0000 11.7042                    開口絞りＳ
20    40.4149  4.8877  1.487490  70.24
21   -46.2711  1.2000  1.805180  25.43
22   -47.6640  0.6027
23   -51.0738  1.2000  1.834000  37.17
24    23.0711  5.7583  1.497820  82.52
25   -40.0523  0.1000
26  -164.8804  3.6433  1.516330  64.15
*27   -44.5558  B.F
［非球面データ］
＜第３レンズ面＞
κ  ＝ -0.5124
C4  ＝ -7.72810E-06
C6  ＝ -5.36280E-09
C8  ＝ -4.45260E-12
C10 ＝ -8.65260E-14
C12 ＝ +0.11025E-15
＜第８レンズ面＞
κ  ＝ +0.7923
C4  ＝ -9.41050E-06
C6  ＝ -5.49890E-08
C8  ＝ +6.03980E-11
C10 ＝ -1.78460E-13
C12 ＝ -0.12529E-14
＜第２７レンズ面＞
κ  ＝  0.00000
C4  ＝ +2.60180E-06
C6  ＝ +1.36110E-08
C8  ＝ -1.30840E-10
C10 ＝ +1.76860E-13
［可変間隔データ］
ｆ又は撮影倍率     24.71      1/30x     1/10x
D10           2.210     2.827     4.072
D18           6.994     6.377     5.132
B.F          56.500    56.500    56.500
［条件式対応値］
（１）ｆ１２／ｆ＝4.06
（２）ｆ２／ｆ＝1.89
（３）Ｄ２３／ｆ＝0.62
（４）Δν３＝41.00
（５）（−ｆ１）／ｆ＝0.85
【００６１】
図８（ａ），（ｂ），（ｃ）はそれぞれ、本願の第４実施例に係る広角レンズの無限遠合焦時及び撮影倍率β＝-1/30，-1/10のときの諸収差図を示す。
各諸収差図より本実施例に係る広角レンズは、全物体距離範囲にわたって諸収差を良好に補正し、優れた結像性能を有していることがわかる。
【００６２】
（第５実施例）
図９は、本願の第５実施例に係る広角レンズの構成を示す図である。
本実施例に係る広角レンズは、物体側から順に、全体として負の屈折力を有する第１レンズ群Ｇ１と、全体として正の屈折力を有する第２レンズ群Ｇ２と、開口絞りＳと、全体として正の屈折力を有する第３レンズ群Ｇ３とから構成されている。
【００６３】
第１レンズ群Ｇ１は、物体側から順に、物体側に凸面を向け像側のレンズ面が非球面である負メニスカスレンズＬ１１と、物体側に凸面を向けた負メニスカスレンズＬ１２と、像側に凸面を向けた正メニスカスレンズＬ１３、像側に凸面を向けた負メニスカスレンズＬ１４とからなる。なお、負メニスカスレンズＬ１２は、像側のガラスレンズ面に樹脂層を設けて非球面を形成した複合型非球面レンズである。
第２レンズ群Ｇ２は、物体側から順に、両凸形状の正レンズＬ２１と両凹形状の負レンズＬ２２との接合レンズと、両凸形状の正レンズＬ２３と像側に凸面を向けた負メニスカスレンズＬ２４との接合レンズとからなる。
【００６４】
第３レンズ群Ｇ３は、物体側から順に、両凸形状の正レンズＬ３１と像側に凸面を向けた負メニスカスレンズＬ３２との接合レンズと、両凹形状の負レンズＬ３３と両凸形状の正レンズＬ３４との接合レンズと、像側に凸面を向け像側のレンズ面が非球面である正メニスカスレンズＬ３５とからなる。
斯かるレンズ構成の下、本実施例に係る広角レンズは、無限遠物体から近距離物体への合焦時に、第１レンズ群Ｇ１と第３レンズ群Ｇ３とはその位置が固定され、第２レンズ群Ｇ２は光軸に沿って像側へ移動する。なお、このとき開口絞りＳは、第１レンズ群Ｇ１と第３レンズ群Ｇ３と同様にその位置が固定である。
以下の表５に、本願の第５実施例に係る広角レンズの諸元の値を掲げる。
【００６５】
（表５）
［全体諸元］
ｆ    ＝ 24.64
ＦＮＯ＝  3.6
２ω  ＝101
［レンズデータ］
面      ｒ       ｄ      ｎｄ    νｄ
1    52.8747  2.0000  1.744429  49.55
*2    15.1928  7.7320
3    36.4718  2.0000  1.487490  70.21
4    20.7965  0.3000  1.553890  38.09
*5    20.4248 14.6150
6  -954.6404  5.9866  1.846660  23.78
7  -121.1012  3.4225
8   -28.6128  3.6400  1.834000  37.17
9   -35.4962  D9
10    49.3047  5.6613  1.548141  45.78
11   -20.2399  1.2000  1.804000  46.58
12   473.1286  0.1000
13    61.5810  4.8521  1.548141  45.78
14   -21.3322  1.0000  1.772499  49.60
15   -28.8705  D15
16     0.0000  9.2093                   開口絞りＳ
17    42.9936  3.7647  1.497820  82.52
18   -41.0945  1.2000  1.805181  25.42
19   -64.1339  1.2655
20   -46.2197  1.2000  1.806098  40.95
21    25.7091  4.9778  1.497820  82.52
22   -38.8006  0.1000
23   -93.3300  2.6000  1.516330  64.15
*24   -34.6568  B.F
［非球面データ］
＜第２レンズ面＞
κ  ＝ -1.00000
C4  ＝ +8.56940E-06
C6  ＝ +1.39060E-08
C8  ＝ +3.46880E-11
C10 ＝ -4.07530E-14
C12 ＝ +0.26004E-16
＜第５レンズ面＞
κ  ＝ -1.0000
C4  ＝ +2.31290E-05
C6  ＝ -2.62790E-09
C8  ＝ +1.77610E-11
C10 ＝ +1.10090E-13
＜第２４レンズ面＞
κ  ＝  0.00000
C4  ＝ +5.41920E-06
C6  ＝ +1.92060E-08
C8  ＝ -8.38990E-11
［可変間隔データ］
ｆ又は撮影倍率     24.64      1/30x     1/10x
D9            1.450     2.316     4.093
D15           6.230     5.364     3.587
B.F          56.371    56.371    56.371
［条件式対応値］
（１）ｆ１２／ｆ＝2.52
（２）ｆ２／ｆ＝1.91
（３）Ｄ２３／ｆ＝0.63
（４）Δν３＝43.31
（５）（−ｆ１）／ｆ＝0.95
【００６６】
図１０（ａ），（ｂ），（ｃ）はそれぞれ、本願の第５実施例に係る広角レンズの無限遠合焦時及び撮影倍率β＝-1/30，-1/10のときの諸収差図を示す。
各諸収差図より本実施例に係る広角レンズは、全物体距離範囲にわたって諸収差を良好に補正し、優れた結像性能を有していることがわかる。
【００６７】
上記各実施例によれば、大きなバックフォーカスと１００度程度の撮影画角と３．５程度のＦナンバーを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した広角レンズを実現することができる。
【００６８】
また、本願の広角レンズにおいて、手ブレによって生じる像ブレを補正するために、レンズ群の一部又は１つのレンズ群を防振レンズ群として光軸に対して垂直な方向へ移動させる構成としてもよい。なお、本願の広角レンズにおいて、特に第３レンズ群を防振レンズ群とすることが好ましい。
また、本願の広角レンズを構成するレンズのレンズ面を非球面としてもよい。この非球面は、研削加工による非球面、ガラスを型で非球面形状に成型したガラスモールド非球面、又はガラス表面に設けた樹脂を非球面形状に形成した複合型非球面のいずれでもよい。
【００６９】
また、本願の広角レンズを構成するレンズのレンズ面に、広い波長域で高い透過率を有する反射防止膜を施してもよい。これにより、フレアやゴーストを軽減し、高コントラストで高い光学性能を達成することができる。
なお、上記各実施例は本発明の一具体例を示しているものであり、本発明はこれらに限定されるものではない。
【００７０】
次に、本願の広角レンズを備えたカメラを図１１に基づいて説明する。
図１１は、本願の広角レンズを備えたカメラの構成を示す図である。
本カメラ１は、図１１に示すように撮影レンズ２として上記第１実施例に係る広角レンズを備えたデジタル一眼レフカメラである。
【００７１】
本カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【００７２】
また、撮影者によって不図示のレリーズボタンが押されると、クイックリターンミラー３が光路外へ退避し、不図示の被写体からの光は撮像素子７へ到達する。これにより被写体からの光は、当該撮像素子７によって撮像されて、被写体画像として不図示のメモリに記録される。このようにして、撮影者は本カメラ１による被写体の撮影を行うことができる。
【００７３】
ここで、本カメラ１に撮影レンズ２として搭載した上記第１実施例に係る広角レンズは、上記第１実施例において説明したようにその特徴的なレンズ構成及び合焦方法によって、大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能が実現されている。これにより本カメラ１は、同様の効果を奏することができる。
なお、本願は以上に限られず、上記第２実施例、第３実施例、又は第４実施例に係る広角レンズを撮影レンズ２として搭載したカメラを構成しても上記カメラ１と同様の効果を勿論奏することができる。
【００７４】
以上より、大きなバックフォーカスと大きな撮影画角と小さなＦナンバーとを有し、前玉レンズ径の縮小化を図りながらレンズ系全体の小型化が図られており、迅速なフォーカシングが可能で、かつフォーカシング時の収差変動が小さく、画面全体にわたって諸収差を良好に補正可能な高い光学性能を有した広角レンズ、撮像装置、広角レンズの合焦方法を実現することができる。
【図面の簡単な説明】
【００７５】
【図１】本願の第１実施例に係る広角レンズの構成を示す図である。
【図２】（ａ），（ｂ），（ｃ）はそれぞれ、本願の第１実施例に係る広角レンズの無限遠合焦時及び撮影倍率β＝-1/30，-1/10のときの諸収差図を示す。
【図３】本願の第２実施例に係る広角レンズの構成を示す図である。
【図４】（ａ），（ｂ），（ｃ）はそれぞれ、本願の第２実施例に係る広角レンズの無限遠合焦時及び撮影倍率β＝-1/30，-1/10のときの諸収差図を示す。
【図５】本願の第３実施例に係る広角レンズの構成を示す図である。
【図６】（ａ），（ｂ），（ｃ）はそれぞれ、本願の第３実施例に係る広角レンズの無限遠合焦時及び撮影倍率β＝-1/30，-1/10のときの諸収差図を示す。
【図７】本願の第４実施例に係る広角レンズの構成を示す図である。
【図８】（ａ），（ｂ），（ｃ）はそれぞれ、本願の第４実施例に係る広角レンズの無限遠合焦時及び撮影倍率β＝-1/30，-1/10のときの諸収差図を示す。
【図９】本願の第５実施例に係る広角レンズの構成を示す図である。
【図１０】（ａ），（ｂ），（ｃ）はそれぞれ、本願の第５実施例に係る広角レンズの無限遠合焦時及び撮影倍率β＝-1/30，-1/10のときの諸収差図を示す。
【図１１】本願の広角レンズを備えたカメラの構成を示す図である。
【符号の説明】
【００７６】
Ｇ１    第１レンズ群
Ｇ２    第２レンズ群
Ｇ３    第３レンズ群
Ｓ      開口絞り
【図１】
2008170720.tif 000003
【図２】
2008170720.tif 000004
【図３】
2008170720.tif 000005
【図４】
2008170720.tif 000006
【図５】
2008170720.tif 000007
【図６】
2008170720.tif 000008
【図７】
2008170720.tif 000009
【図８】
2008170720.tif 000010
【図９】
2008170720.tif 000011
【図１０】
2008170720.tif 000012
【図１１】
2008170720.tif 000013